【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
下記一般式（１）で表される化合物と、光増感剤とを含み、固体である、光アップコンバージョン材料。
【化１】
2017171888.tif 000001
［一般式（１）中、基Ａは、置換基を有することがある縮合環数が３〜５の多環芳香族化合物の２価の残基を示す。
基Ｂ1及び基Ｂ2は、それぞれ独立して、下記一般式（２ａ）または（２ｂ）で表される３価の基を示す。
【化２】
2017171888.tif 000002
一般式（２ａ）及び（２ｂ）中、基Ｚが基Ａと結合しており、残りの２つの結合手がそれぞれ基Ｘ1及び基Ｘ2と結合しており、基Ｚは、単結合、または飽和もしくは不飽和であり、直鎖もしくは分岐鎖のアルキレン基を示す。Ｒn2は、０〜３個の置換基であって、ベンゼン環上の水素原子と置換しており、それぞれ独立に、アルキル基、アルコキシ基、フェニル基、水酸基、またはアミノ基を示す。
基Ｘ1及び基Ｘ2は、それぞれ独立して、エーテル結合、エステル結合、アミド結合及びスルフィド結合からなる群から選択された少なくとも一種の結合を有することがある炭素数２以上の直鎖または分岐鎖のアルキレン基を示す。］
【請求項２】
前記固体中の前記一般式（１）で表される化合物と、前記光増感剤との合計割合が、６０質量％以上である、請求項１に記載の光アップコンバージョン材料。
【請求項３】
前記一般式（１）で表される化合物及び前記光増感剤により形成された結晶を含んでいる、請求項１または２に記載の光アップコンバージョン材料。
【請求項４】
前記一般式（１）において、基Ａが、下記一般式（Ａ１）〜（Ａ２３）で表される多環芳香族化合物残基のいずれかである、請求項１〜３のいずれかに記載の光アップコンバージョン材料。
【化３】
2017171888.tif 000003
［一般式（Ａ１）〜（Ａ２３）中、２価の結合手は、それぞれ芳香環上の水素原子と置換可能な任意の位置に存在する。Ｒn1は、０個以上の置換基であって、それぞれ芳香環に結合した水素原子と置換しており、それぞれ独立に、アルキル基、アルコキシ基、フェニル基、水酸基、またはアミノ基を示す。］
【請求項５】
前記一般式（１）において、基Ａが、下記一般式（Ａ１−１）、（Ａ１−２）、（Ａ２−１）、（Ａ３−１）、（Ａ４−１）、（Ａ５−１）、（Ａ５−２）、（Ａ６−１）、（Ａ９−１）、（Ａ９−２）、（Ａ９−３）、（Ａ９−４）、（Ａ１４−１）、（Ａ１４−２）、（Ａ１４−３）、及び（Ａ１４−４）で表される多環芳香族化合物残基のいずれかである、請求項１〜４のいずれかに記載の光アップコンバージョン材料。
【化４】
2017171888.tif 000004
［一般式（Ａ１−１）、（Ａ１−２）、（Ａ２−１）、（Ａ３−１）、（Ａ４−１）、（Ａ５−１）、（Ａ５−２）、（Ａ６−１）、（Ａ９−１）、（Ａ９−２）、（Ａ９−３）、（Ａ９−４）、（Ａ１４−１）、（Ａ１４−２）、（Ａ１４−３）、及び（Ａ１４−４）中、Ｒn1は、上記の一般式（Ａ１）〜（Ａ２３）と同様である。］
【請求項６】
前記基Ｂ1及び基Ｂ2は、それぞれ独立して、下記一般式（３ａ−１）〜（３ａ−４）で表される３価の基のいずれかである、請求項１〜５のいずれかに記載の光アップコンバージョン材料。
【化５】
2017171888.tif 000005
［一般式（３ａ−１）〜（３ａ−４）中、Ｒn2は、一般式（２ａ）と同様である。］
【請求項７】
前記一般式（１）において、基Ｘ1及び基Ｘ2は、それぞれ独立して、エーテル結合、エステル結合、アミド結合及びスルフィド結合からなる群から選択された少なくとも一種の結合を有することがある炭素数が５〜１０の直鎖のアルキレン基である、請求項１〜６のいずれかに記載の光アップコンバージョン材料。
【請求項８】
請求項１〜７のいずれかに記載の光アップコンバージョン材料に光を照射することにより、前記照射した光よりも短波長の光を発光させる、光波長の変換方法。
【請求項９】
下記一般式（１）で表される化合物と、光増感剤とを含み、前記一般式（１）で表される化合物の溶液を、乾燥させる工程を備えている、光アップコンバージョン材料の製造方法。
【化６】
2017171888.tif 000006
［一般式（１）中、基Ａは、置換基を有することがある縮合環数が３〜５の多環芳香族化合物の２価の残基を示す。
基Ｂ1及び基Ｂ2は、それぞれ独立して、下記一般式（２ａ）または（２ｂ）で表される３価の基を示す。
【化７】
2017171888.tif 000007
一般式（２ａ）及び（２ｂ）中、基Ｚが基Ａと結合しており、残りの２つの結合手がそれぞれ基Ｘ1及び基Ｘ2と結合しており、基Ｚは、単結合、または飽和もしくは不飽和であり、直鎖もしくは分岐鎖のアルキレン基を示す。Ｒn2は、０〜３個の置換基であって、ベンゼン環上の水素原子と置換しており、それぞれ独立に、アルキル基、アルコキシ基、フェニル基、水酸基、またはアミノ基を示す。
基Ｘ1及び基Ｘ2は、それぞれ独立して、エーテル結合、エステル結合、アミド結合及びスルフィド結合からなる群から選択された少なくとも一種の結合を有することがある炭素数２以上の直鎖または分岐鎖のアルキレン基を示す。］
【手続補正２】
【補正対象書類名】明細書
【補正対象項目名】００１５
【補正方法】変更
【補正の内容】
【００１５】
すなわち、本発明は、下記に掲げる態様の発明を提供する。
項１．  下記一般式（１）で表される化合物と、光増感剤とを含み、固体である、光アップコンバージョン材料。
【化１】
2017171888.tif 000008
［一般式（１）中、基Ａは、置換基を有することがある縮合環数が３〜５の多環芳香族化合物の２価の残基を示す。
基Ｂ1及び基Ｂ2は、それぞれ独立して、下記一般式（２ａ）または（２ｂ）で表される３価の基を示す。
【化２】
2017171888.tif 000009
一般式（２ａ）及び（２ｂ）中、基Ｚが基Ａと結合しており、残りの２つの結合手がそれぞれ基Ｘ1及び基Ｘ2と結合しており、基Ｚは、単結合、または飽和もしくは不飽和であり、直鎖もしくは分岐鎖のアルキレン基を示す。Ｒn2は、０〜３個の置換基であって、ベンゼン環上の水素原子と置換しており、それぞれ独立に、アルキル基、アルコキシ基、フェニル基、水酸基、またはアミノ基を示す。
基Ｘ1及び基Ｘ2は、それぞれ独立して、エーテル結合、エステル結合、アミド結合及びスルフィド結合からなる群から選択された少なくとも一種の結合を有することがある炭素数２以上の直鎖または分岐鎖のアルキレン基を示す。］
項２．  前記固体中の前記一般式（１）で表される化合物と、前記光増感剤との合計割合が、６０質量％以上である、項１に記載の光アップコンバージョン材料。
項３．  前記一般式（１）で表される化合物及び前記光増感剤により形成された結晶を含んでいる、項１または２に記載の光アップコンバージョン材料。
項４．  前記一般式（１）において、基Ａが、下記一般式（Ａ１）〜（Ａ２３）で表される多環芳香族化合物残基のいずれかである、項１〜３のいずれかに記載の光アップコンバージョン材料。
【化３】
2017171888.tif 000010
［一般式（Ａ１）〜（Ａ２３）中、２価の結合手は、それぞれ芳香環上の水素原子と置換可能な任意の位置に存在する。Ｒn1は、０個以上の置換基であって、それぞれ芳香環に結合した水素原子と置換しており、それぞれ独立に、アルキル基、アルコキシ基、フェニル基、水酸基、またはアミノ基を示す。］
項５．  前記一般式（１）において、基Ａが、下記一般式（Ａ１−１）、（Ａ１−２）、（Ａ２−１）、（Ａ３−１）、（Ａ４−１）、（Ａ５−１）、（Ａ５−２）、（Ａ６−１）、（Ａ９−１）、（Ａ９−２）、（Ａ９−３）、（Ａ９−４）、（Ａ１４−１）、（Ａ１４−２）、（Ａ１４−３）、及び（Ａ１４−４）で表される多環芳香族化合物残基のいずれかである、項１〜４のいずれかに記載の光アップコンバージョン材料。
【化４】
2017171888.tif 000011
［一般式（Ａ１−１）、（Ａ１−２）、（Ａ２−１）、（Ａ３−１）、（Ａ４−１）、（Ａ５−１）、（Ａ５−２）、（Ａ６−１）、（Ａ９−１）、（Ａ９−２）、（Ａ９−３）、（Ａ９−４）、（Ａ１４−１）、（Ａ１４−２）、（Ａ１４−３）、及び（Ａ１４−４）中、Ｒn1は、上記の一般式（Ａ１）〜（Ａ２３）と同様である。］
項６．  前記基Ｂ1及び基Ｂ2は、それぞれ独立して、下記一般式（３ａ−１）〜（３ａ−４）で表される３価の基のいずれかである、項１〜５のいずれかに記載の光アップコンバージョン材料。
【化５】
2017171888.tif 000012
［一般式（３ａ−１）〜（３ａ−４）中、Ｒn2は、一般式（２ａ）と同様である。］
項７．  前記一般式（１）において、基Ｘ1及び基Ｘ2は、それぞれ独立して、エーテル結合、エステル結合、アミド結合及びスルフィド結合からなる群から選択された少なくとも一種の結合を有することがある炭素数が５〜１０の直鎖のアルキレン基である、項１〜６のいずれかに記載の光アップコンバージョン材料。
項８．  項１〜７のいずれかに記載の光アップコンバージョン材料に光を照射することにより、前記照射した光よりも短波長の光を発光させる、光波長の変換方法。
項９．  下記一般式（１）で表される化合物と、光増感剤とを含み、前記一般式（１）で表される化合物の溶液を、乾燥させる工程を備えている、光アップコンバージョン材料の製造方法。
【化６】
2017171888.tif 000013
［一般式（１）中、基Ａは、置換基を有することがある縮合環数が３〜５の多環芳香族化合物の２価の残基を示す。
基Ｂ1及び基Ｂ2は、それぞれ独立して、下記一般式（２ａ）または（２ｂ）で表される３価の基を示す。
【化７】
2017171888.tif 000014
一般式（２ａ）及び（２ｂ）中、基Ｚが基Ａと結合しており、残りの２つの結合手がそれぞれ基Ｘ1及び基Ｘ2と結合しており、基Ｚは、単結合、または飽和もしくは不飽和であり、直鎖もしくは分岐鎖のアルキレン基を示す。Ｒn2は、０〜３個の置換基であって、ベンゼン環上の水素原子と置換しており、それぞれ独立に、アルキル基、アルコキシ基、フェニル基、水酸基、またはアミノ基を示す。
基Ｘ1及び基Ｘ2は、それぞれ独立して、エーテル結合、エステル結合、アミド結合及びスルフィド結合からなる群から選択された少なくとも一種の結合を有することがある炭素数２以上の直鎖または分岐鎖のアルキレン基を示す。］